(57)【要約】【課題】  写真やコイン、切手等の記念品を一緒にまとめて携帯性、デザイン性および保存性の高い携帯用記念品収容ケースに収容し、さらに当該記念品等の情報ととも整理・保存することができる記念品アルバムを提供する。【解決手段】  写真やコイン、切手等の記念品が収容された携帯用記念品収容ケース２と、この携帯用記念品収容ケース２を着脱可能に収容する収容凹部４が形成されているとともに前記記念品に関する情報を表示する情報表示部５が形成されたアルバム本体３とを有する。【選択図】      図１
0003140823.tif 000002
【実用新案登録請求の範囲】
【請求項１】
写真やコイン、切手等の記念品が収容された携帯用記念品収容ケースと、この携帯用記念品収容ケースを着脱可能に収容する収容凹部が形成されているとともに前記記念品に関する情報を表示する情報表示部が形成されたアルバム本体とを有することを特徴とする記念品アルバム。
【請求項２】
請求項１において、前記携帯用記念品収容ケースには、前記情報表示部に表示された情報を有する二次元バーコードが備えられていることを特徴とする記念品アルバム。
【請求項３】
請求項１および請求項２において、前記携帯用記念品収容ケースには故人の肖像および六文銭や髪の毛等のその故人に纏わる品が収容されており、かつ、前記情報表示部には前記故人の俗名や行年などが記載される俗名欄、略歴や趣味・特技などが記載される経歴欄および各法要日が記載される法要日欄が設けられていることを特徴とする記念品アルバム。
【考案の詳細な説明】
【技術分野】
【０００１】
本考案は、写真やコイン、切手等の記念品が収容された携帯用記念品収容ケースを備えた記念品アルバムに関するものである。
【背景技術】
【０００２】
従来、写真や切手、コイン等の記念品を収容して整理・保存しておくためのアルバムが種々提案されている。
【０００３】
例えば、登録実用新案第３００２００８号公報では、アルバム本体に収納袋を設けて、記念品の大切な品々の紛失を極力少なくするための記念品専用多目的アルバムが提案されている（特許文献１）。この特許文献１の記載によると、当該アルバムは写真を貼るとともに関連する記念品を収納袋に入れて写真と記念品とを一緒に整理・保存することができるとされている。
【０００４】
【特許文献１】登録実用新案第３００２００８号公報
【考案の開示】
【考案が解決しようとする課題】
【０００５】
しかしながら、特許文献１に記載された考案に係るアルバムは、写真の収容ページと記念品の収容ページとが異なるため、両者を同時に見るにはその都度ページをめっくったり、写真または記念品を取り出さなくてはならず見づらいという問題がある。また、記念品の凹凸によって、アルバムを閉じたときに写真を傷めてしまうこともある。さらに、アルバムでは携帯するには大き過ぎてしまうし、仮に携帯したとしても記念品が収容袋からこぼれ落ちてしまう問題もある。
【０００６】
本考案は、このような問題点を解決するためになされたものであって、写真やコイン、切手等の記念品を一緒にまとめて携帯性、デザイン性および保存性の高い携帯用記念品収容ケースに収容し、さらに当該記念品等の情報ととも整理・保存することができる記念品アルバムを提供することを目的としている。
【課題を解決するための手段】
【０００７】
本考案に係る記念品アルバムの特徴は、写真やコイン、切手等の記念品が収容された携帯用記念品収容ケースと、この携帯用記念品収容ケースを着脱可能に収容する収容凹部が形成されているとともに前記記念品に関する情報を表示する情報表示部が形成されたアルバム本体とを有する点にある。
【０００８】
また、本考案において、前記携帯用記念品収容ケースには、前記情報表示部に表示された情報を有する二次元バーコードが備えられていることが好ましい。
【０００９】
さらに、本考案において、前記携帯用記念品収容ケースには故人の肖像および六文銭や髪の毛等のその故人に纏わる品が収容されており、かつ、前記情報表示部には前記故人の俗名や行年などが記載される俗名欄、略歴や趣味・特技などが記載される経歴欄および各法要日が記載される法要日欄が設けられていることが好ましい。なお、収容される故人に纏わる品は、上記の他に故人の爪や歯、遺骨などでもよい。
【考案の効果】
【００１０】
本考案によれば、写真やコイン、切手等の記念品を一緒にまとめて収容して携帯性、デザイン性および保存性の高い携帯用記念品収容ケースを当該記念品の情報ととも整理・保存することができる。
【考案を実施するための最良の形態】
【００１１】
以下、本考案に係る記念品アルバムの実施形態について図面を用いて説明する。図１は当該記念品アルバム１の斜視図である。なお、本実施形態は故人に纏わる品として故人の写真Ｐおよびその故人の六文銭Ｃを収容するためのものとして一例を挙げるが、記念品は切手やコイン他、携帯用記念品収容ケース２に収容できる物であれば種類を問わない。
【００１２】
本実施形態における記念品アルバム１は、写真やコイン、切手等の記念品を収容する携帯用記念品収容ケース２と、この携帯用記念品収容ケース２を収容可能なアルバム本体３から構成されている。以下、各構成について詳細に説明する。
【００１３】
携帯用記念品収容ケース２は、写真等の記念品を収容し携帯性や保存性を高めたものであり、ケース本体２１およびこのケース本体２１に記念品を密閉する蓋２２によって構成されている。当該ケース本体２１および当該蓋２２は透明性を有しており、アクリル樹脂などによって形成されている。
【００１４】
ケース本体２１は、図２に示すように、蓋２２を嵌入させる蓋嵌入部２３と、遺影などの写真Ｐを収容する写真収容部２４と、六文銭Ｃなどの小物を収納する小物収容部２５とを有している。
【００１５】
蓋嵌入部２３は、前記蓋２２を嵌入させる部分であって当該蓋２２の形状に合わせて形成される。本実施形態においては、蓋２２が矩形状に形成されているため、図３に示されるように平面視矩形の凹状に形成されている。蓋嵌入部２３の高さは、蓋２２の厚さに合わせて形成されており、前記蓋２２が前記蓋嵌入部２３に嵌め入れられることでほぼ密閉状態に嵌着固定される。
【００１６】
なお、蓋嵌入部２３と蓋２２との構成はこれに限定されるものではなく、蓋２２に蓋嵌入部２３の外形と略同一形状の凸状部を形成し、この凸状部を蓋嵌入部２３に嵌入させてもよい。また、両者の固定は接着剤等による接着固定や溶着固定してもよく、完全に固定せずにドライバー等を差し込んで取り外すための凹溝などを設けて開閉を可能にしてもよい。
【００１７】
写真収容部２４は、蓋嵌入部２３の内側に凹状に形成されている。また、本実施形態における写真収容部２４は、蓋嵌入部２３よりもやや小さい外形寸法に形成され、かつ、写真Ｐが収容可能な程度の高さに形成されている。
【００１８】
小物収容部２５は、コインや切手等の小物を収容する部分であり、写真収容部２４の内側に凹状に形成されている。本実施形態における小物収容部２５は、六文銭Ｃが収容できるように写真収容部２４の短辺よりも小さい直径の円形に形成されている。また、小物収容部２５の底面には、小さな蓋開け孔２６を形成してもよい。この蓋開け孔２６は直径２ｍｍ程度の孔でよく、蓋２２を開ける際に例えば爪楊枝のような細い棒を差し入れて蓋２２を押し開けることができるものである。
【００１９】
なお、本実施形態では、写真と小物との間に、小物を小物収容部２５の底面側に押圧して保持するための略円盤状の緩衝材２７が狭持されている。この緩衝材２７は、ポリウレタン等を発泡成形してなるスポンジ等から構成されており、所定の弾力性を有している。なお、この緩衝材２７の素材は前記発泡成型体に限られるものではなく、所定の弾力性を有するものであれば、ゴム等の天然樹脂や合成樹脂などを用いてもよい。
【００２０】
つぎにアルバム本体３について説明する。アルバム本体３は、図１および図４に示すように、携帯用記念品収容ケース２を着脱可能に収容し、かつ、当該記念品の情報とともに整理・保存するためのものであり、本実施形態においては二つ折りに形成され、おもて表紙３１およびうら表紙３２からなる。また、その見開き面３３には携帯用記念品収容ケース２を収容する収容凹部４と、収容される記念品に関する情報を表示する情報表示部５とを有している。
【００２１】
なお、本実施形態におけるアルバム本体３は、紙３４とポリウレタン等を発泡成形してなるスポンジ３５を積層した合板３６とこの合板３６の表面に貼る木綿布や合成繊維布などからなる化粧カバー３７とによって構成され、合板３６はスポンジ３５の両面に厚紙３４を接着することにより形成されている。また、化粧カバー３７は任意の色を選択でき、文字や模様を印刷することもできる。
【００２２】
収容凹部４は、前記アルバム本体３の見開き面３３の右側に設けられ、携帯用記念品収容ケース２の外形と略同一形状を有した凹状に形成される。本実施形態における収容凹部４には、携帯用記念品収容ケース２を容易に取り出すために、当該収容凹部４の上縁に取り出し用リボン４１が取り付けられて、下縁を越えるまで垂れ下がっている。携帯用記念品収容ケース２を収容凹部４から取り出す場合には、前記取り出し用リボン４１を引っ張り上げれば、携帯用記念品収容ケース２の底面を持ち上げられる。
【００２３】
情報表示部５は、前記アルバム本体３の見開き面３３の左側に設けられており、台紙支持体５１と台紙５２とからなる。
【００２４】
台紙支持体５１は、台紙５２を狭持して着脱可能に支持するためのものであり、おもて表紙３１およびうら表紙３２の見開き面３３の四隅に設けられている。
【００２５】
台紙５２は、携帯用記念品収容ケース２内の記念品に関する情報を記載するものであり、かつ、前記携帯用記念品収容ケース２が収容凹部４からこぼれ落ちないようにするためのものである。本実施形態における台紙５２のうち、見開き左側の台紙５２には、故人の俗名や行年などが記載される俗名欄５３、当該故人の略歴や趣味・特技などが記載される経歴欄５４および当該故人の各法要日が記載される法要日欄５５が備えられている。また、見開き右側の台紙５２には、透明性を有するフィルム５６が設けられている。
【００２６】
なお、情報表示部５はこれに限定されるものではなく、アルバム本体３の表面に俗名欄５３、経歴欄５４および法要日欄５５などを直接印刷してもよい。また、ディスプレイなどの映像表示部を設けて静止画や動画を表示してもよい。
【００２７】
なお、本実施形態において、前記携帯用記念品収容ケース２にはＱＲコード（登録商標）などの二次元バーコード６が備えられている。この二次元バーコード６は、携帯用記念品収容ケース２を携帯しているときに、前記情報表示部５の情報を外出先で見られるようにするためのものであり、前記情報表示部５の情報やその情報が記憶された情報端末にインターネットを介してアクセスするためのアドレスを有している。前記二次元バーコード６は、写真Ｐの裏面に表示させてもよいし、携帯用記念品収容ケース２自体に印字あるいはシールによって貼付してもよい。
【００２８】
つぎに、各構成の作用について説明する。
【００２９】
まず、携帯用記念品収容ケース２について説明する。図３に示すように、ケース本体２１は、小物収容部２５に六文銭Ｃを収納するとともに、写真収容部２４に故人の写真Ｐを収容した後、蓋嵌入部２３に蓋２２を嵌入して固定する。これにより、六文銭Ｃおよび写真Ｐが略密閉状態となり、一体的に保存される。このとき六文銭Ｃと写真Ｐとの間に緩衝材２７を挟むことにより、六文銭Ｃおよび写真Ｐが小物収容部２５および写真収容部２４の中で振動するのを抑え、六文銭Ｃなどの破損や振動による衝突音の発生を抑制する。そのため、写真Ｐおよび六文銭Ｃを傷つけることなく携帯することができる。
【００３０】
また、本実施形態において、写真収容部２４に収容される写真Ｐなどは、その表面が蓋２２側を向くように収容される。一方、小物収容部２５に収容される六文銭Ｃは、表面または主要となる面が小物収容部２５の底面側を向くように設けられる。これにより、透明性を有するケース本体２１および蓋２２が、収容された写真Ｐおよび六文銭Ｃを、表裏両面から良好に視認させるため、優れたデザイン性を有している。
【００３１】
さらに、携帯用記念品収容ケース２に付された二次元バーコード６はカメラ付き携帯や二次元バーコードリーダなどの読み取り端末で読み取り、文字情報や当該情報が記録されたインターネットワーク上のアドレスに変換することにより、アルバム本体３の情報表示５部に表示される情報を外出先などで手軽に得られる。そのため、携帯時にはアルバム本体３を一緒に持ち歩く必要がなく携帯性に優れている
【００３２】
このように、携帯用記念品収容ケース２は高い携帯性、デザイン性および保存性を備えている。
【００３３】
つぎにアルバム本体３の作用について説明する。まず、収容凹部４に前記携帯用記念品収容ケース２を収容する。このとき、収容凹部４の上縁に取り付けられた取り出し用リボン４１を収容凹部４と携帯用記念品収容ケース２との間に挟み込むようにする。収容凹部４から携帯用記念品収容ケース２を取り出す場合は、取り出し用リボン４１を引っ張ることによって取り出し、携帯用記念品収容ケース２をアルバム本体３から容易に持ち出すことができる。
【００３４】
情報表示部５における台紙支持体５１は、アルバム本体３の見開き面３３の左右において台紙５２を着脱自由に支持している。そのため、情報表示部５としての台紙５２の交換や変更をを容易に行うことができる。また、台紙５２は携帯用記念品収容ケース２が収容凹部４からこぼれ落ちないように抑える役割を果たしている。さらに、台紙５２に設けられた透明性を有するフィルム５６により携帯用記念品収容ケース２内の記念品を見る妨げにはならない。
【００３５】
また、当該台紙５２には記念品に関する情報、本実施形態においては俗名欄５３、経歴欄５４および法要日欄５５が記載されており、記念品の詳しい情報を掲載することができる。そのため、本実施形態においては、故人との生前の思い出や法要日をいつでもすぐに確認できる。
【００３６】
したがって、アルバム本体３に携帯用記念品収容ケース２を収容している場合には、記念品とともに、その記念品の詳しい情報を一緒に見ることができるため便利であり、各々が散在することがない。また、高いデザイン性を有しており、記念品を贈る際の包装としても適している。
【００３７】
以上のような本実施形態によれば、以下の効果が得られる。
１．六文銭や写真等の記念品を一緒にまとめて収納することができる。
２．記念品を振動や衝撃から守って安全に携帯することができる。
３．記念品とともにその記念品に関する詳しい情報を一緒に観賞することができるし、持ち出しても外出先において同様な情報を得ることができる。
４．アルバム本体３に収容された状態でも記念品を観賞することができ、高いデザイン性によって需要者の購買意欲を喚起することができる。
５．故人の遺影写真と火葬した六文銭とを合わせて収納すれば、当該故人を偲ぶお守りとして肌身離さず携帯することができる。
【００３８】
なお、本考案に係る記念品アルバム１は、前述した実施形態に限定されるものではなく、適宜変更することができる。
【００３９】
例えば、ケース本体２１および蓋２２の一部もしくは全部に紫外線防止加工を施して、紫外線による記念品の色あせなどの劣化を防止してもよい。
【００４０】
また、写真収容部２４や小物収容部２５の内部を真空にしたり、酸化防止剤を備えたりすることにより、収容される記念品の酸化を防止してもよい。
【００４１】
なお、本考案において、携帯用記念品収容ケース２に収容されるものは、故人の写真や六文銭に限られるわけではなく。たとえば、写真の代わりに肖像画やには、写真やトレーディングカード等のようにカード状のものの他、写真収容部２４に収容しうる全てのものを含むものとする。また、小物には、六文銭やメダル等のようにコイン状のものの他、小物収容部２５に収容しうる全てのものを含むものとする。また、本実施形態のアルバム本体３は、見開きの二つ折りに形成されているが、収容凹部４と情報表示部５を一枚の中に構成してもよい。
【図面の簡単な説明】
【００４２】
【図１】本考案に係る記念品アルバムの実施形態を示す斜視図である。
【図２】本実施形態における携帯用記念品収容ケースのケース本体の正面図である。
【図３】本実施形態における携帯用記念品収容ケースの分解図斜視図である。
【図４】本実施形態における収容凹部に携帯用記念品収容ケースを収容する状態を示す斜視図である。
【符号の説明】
【００４３】
１  記念品アルバム
２  携帯用記念品収容ケース
２１  ケース本体
２２  蓋
２３  蓋嵌入部
２４  写真収容部
２５  小物収容部
２６  蓋開け孔
２７  緩衝材
３  アルバム本体
３１  おもて表紙
３２  うら表紙
３３  見開き面
３４  紙  
３５  スポンジ
３６  合板
３７  化粧カバー
４  収容凹部
４１  取り出し用リボン
５  情報表示部
５１  台紙支持部
５２  台紙
５３  俗名欄
５４  経歴欄
５５  法要日欄
５６  フィルム
６  二次元バーコード
Ｐ  写真
Ｃ  六文銭
【図１】
0003140823.tif 000003
【図２】
0003140823.tif 000004
【図３】
0003140823.tif 000005
【図４】
0003140823.tif 000006